(57)【要約】【課題】  ２番回収部で回収された２番回収物を扱室に戻す搬送装置を備えた脱穀装置において、２番回収物に対する予備選別を効果的に成し得る予備選別機構を合理的に構成する。【解決手段】  ２番回収物を放出口１７より扱室に放出する回転羽根を内装した放出部１９を搬送装置４の搬送方向下手側の端部に備え、ワラ屑やゴミ等を排出する排出口２３を放出部１９の放出口１７とは異なる部分に備えた。【選択図】        図５
2005095016.tif 000002
【特許請求の範囲】
【請求項１】
２番回収部で回収された２番回収物を扱室に戻す搬送装置を備えた脱穀装置であって、２番回収物を放出口より扱室に放出する回転羽根を内装した放出部を前記搬送装置の搬送方向下手側の端部に備え、ワラ屑やゴミ等を排出する排出口を前記放出部の前記放出口とは異なる部分に備えてある脱穀装置。
【発明の詳細な説明】
【技術分野】
【０００１】
本発明は、２番回収部で回収された２番回収物を扱室に戻す搬送装置を備えた脱穀装置に関する。
【背景技術】
【０００２】
従来、上記のような脱穀装置においては、例えば特許文献１や特許文献２に開示されているように、回収物である穀粒と非回収物であるワラ屑やゴミ等との選別を行う手段として、主たる選別部に加え、選別精度を向上させるために補助的な選別部（特許文献１の図１，図２中の１８〜２０、特許文献２の図１，図２中の２１，２２）を脱穀装置の内部に備えたものがあり、２番回収部で回収された２番回収物をその搬送経路においても予備選別できるように構成されているものがある。
【０００３】
【特許文献１】特開平５−１７６６２６号公報（図１，図２）
【０００４】
【特許文献２】特開平７−２７４６９３号公報（図１，図２）
【発明の開示】
【発明が解決しようとする課題】
【０００５】
上記従来の構成によれば、２番回収部で回収された２番回収物に対する予備選別は脱穀装置内で行われるため、予備選別によって選別されたワラ屑やゴミ等の非回収物は依然として脱穀装置内に滞留するので、例えば、排塵ファンの吸い込み作用や唐箕の選別風など、別の排出作用による脱穀装置外への排出の機会を期待せねばならず、ワラ屑やゴミ等の非回収物の脱穀装置外への排出については改善の余地があった。また、ワラ屑やゴミ等の非回収物が脱穀装置内に滞留すると、脱穀装置内部の選別性能に悪影響を与えるおそれがある。
そこで本発明は、２番回収物に対する予備選別を効果的に行える予備選別機構を合理的に構成することを目的としている。
【課題を解決するための手段】
【０００６】
（構成）
本発明の特徴は、２番回収部で回収された２番回収物を扱室に戻す搬送装置を備えた脱穀装置において次のように構成することにある。
２番回収物を放出口より扱室に放出する回転羽根を内装した放出部を搬送装置の搬送方向下手側の端部に備え、ワラ屑やゴミ等を排出する排出口を放出部の放出口とは異なる部分に備えてある。
【０００７】
（作用）
本発明の特徴によると、２番回収物を放出口より扱室に放出する回転羽根を内装した放出部を搬送装置の搬送方向下手側の端部に備えてあるので、搬送装置内を搬送された２番回収物は放出部に内装された回転羽根により扱室に放出される。また、同じく本発明の特徴によると、ワラ屑やゴミ等を排出する排出口を放出部の放出口とは異なる部分に備えてあるので、２番回収物の放出過程において、回転羽根の回転による遠心力と風選別作用で、扱室へ放出される場合もあれば放出口とは異なる部分に備えてある排出口から主に風選別されたワラ屑やゴミ等が機外へ排出される場合もある。すなわち、上記構成を採ることにより、２番回収物に対して選別作用が働き、選別されたワラ屑やゴミ等の非回収物の一部は脱穀装置の外部に排出されることになる。
【０００８】
（効果）
本発明の特徴によると、非回収物であるワラ屑やゴミ等の一部が搬送装置の搬送方向下手側の端部に設けられた放出部から脱穀装置の外部に排出されることになるので、脱穀装置内部の選別部の負担を軽減し、選別効率が改善され、既存の放出部の構造を利用した排出口を構成する簡素な構成で、脱穀装置としての性能をより一層向上させることができた。
【発明を実施するための最良の形態】
【０００９】
以下に、本発明の実施例を図面に基づいて説明する。
図１および図２にコンバインに搭載された脱穀装置１を示している。この脱穀装置１は、その上部側に扱室Ａ、中間部側に選別部Ｂ、下部側に回収部Ｃを配設して構成している。脱穀装置１には、刈取処理された穀稈をフィードチェーン２で挟持搬送しながら扱処理する扱胴３を扱室Ａに軸架するとともに、扱処理された処理物を漏下させる受網５を扱胴３の下方側に配設している。選別部Ｂには、受網５から漏下した処理物を受け止めるグレンパン６、このグレンパン６の後方に順に位置させたチャフシーブ７及びストローラック８、チャフシーブ７の下方に位置するグレンシーブ９を、前後揺動駆動される左右の枠板に架設するとともに、グレンパン６の下方側に唐箕１０を設けている。回収部Ｃには、グレンシーブ９の下方にグレンシーブ９からの漏化物を回収して横一側に横送りする１番物回収スクリュー搬送装置１１を配設するとともに、グレンシーブ９の上部後端、チャフシーブ７等からの漏化物を回収して横一側に横送りする２番物回収スクリュー搬送装置１２を配設している。
【００１０】
図３および図４に示すように、２番物回収スクリュー搬送装置１２の搬送終端部には、放出用の回転スロワー羽根１４を内装するスロワーケース１５に搬送装置４の下端部が連設されている。搬送装置４の上端部には放出部１９が構成されており、扱室Ａへ２番回収物を還元するように搬送経路が構成されている。すなわち、２番物回収スクリュー１８と駆動軸２５を同じくする回転スロワー羽根１４によってスロワーケース１５において放出された２番回収物は、搬送装置４に内装された還元スクリュー１６によって放出部１９にまでスクリュー揚送される。
【００１１】
図４に示すように、放出部１９は、放出部ケース２２に内装された回転羽根２０を備えており、回転羽根２０は還元スクリュー１６と駆動軸２１を同じくして連動回転するように構成してある。放出部ケース２２には扱室Ａへ通じる放出口１７及びワラ屑やゴミ等の非回収物を排出する排出口２３を備えている。
【００１２】
図５に示すように、排出口２３は回転羽根２０の駆動軸２１に関して放出口１７と反対側に位置する箇所を中心にして回転羽根２０の回転方向に沿って放出部ケース２２の壁面においてスリット状に設けられている。スリット状の排出口２３の外側には受板２４が排出口２３に沿って放出部ケース２２の壁面の外側に設けてあり、受板２４と放出部ケース２２の壁面とは斜面２６によって接合されている。
【００１３】
還元スクリュー１６によって搬送装置４の内部をスクリュー揚送された２番回収物は、還元スクリュー１６と一体回転する回転羽根２０によって放出部ケース２２において放出される。放出された２番回収物の一部は放出口１７を通じて扱室Ａの内部へ還元され、一部は放出部ケース２２の内壁に衝突して放出部ケース２２の内部に留まり、再び回転羽根２０によって放出作用を受ける。２番回収物が放出部ケース２２の内部で回転羽根２０による前述のような循環的な放出作用を受けると、ワラ屑やゴミ等の比較的軽い成分は放出部ケース２２の内部で浮遊することになり、それらは回転羽根２０の送風効果で排出口２３を通じて放出部ケース２２の外部に排出されることになる。また、２番回収物が回転羽根２０による放出作用を受け、直接に排出口２３に到達するような場合は、穀粒等の回収物は受板２４あるいは斜面２６に衝突し斜面２６を滑落する。したがって、回収物である穀粒は放出部ケース２２からの排出は抑えられるが、ワラ屑やゴミ等の非回収物は排出口２３から外部へ流れる気流に乗って放出部ケース２２から排出される。
【００１４】
〔発明の実施の別形態〕
前述の〔発明を実施するための最良の形態〕で説明した図５の構成に代えて、図６のように構成してもよい。この構成では、放出部ケース２２の壁面のうち放出口１７が設けられていない部分に排出細孔２７を多数設けてある。排出細孔２７は穀粒が通過しない程度の小さい径で構成されており、ワラ屑やゴミ等の非回収物は通過できる。
【００１５】
還元スクリュー１６によって搬送装置４の内部をスクリュー揚送された２番回収物は還元スクリュー１６と一体回転する回転羽根２０によって放出部ケース２２において放出され、一部は放出口１７を通じて扱室Ａへ還元され、一部は放出部ケース２２の内壁に衝突して放出部ケース２２の内部に留まり、再び回転羽根２０によって放出作用を受ける。２番回収物が放出部ケース２２の内部で回転羽根２０による前述のような循環的な放出作用を受けると、ワラ屑やゴミ等の比較的軽い成分は放出部ケース２２の内部で浮遊することになり、それらは回転羽根２０の送風効果で排出細孔２７を通じて放出部ケース２２の外部に排出されることになる。また、２番回収物が回転羽根２０による放出作用を受け、放出部ケース２２の内壁に衝突して直接に排出細孔２７に到達するような場合は、穀粒等の回収物は排出細孔２７を通過できないので放出部ケース２２からの排出は抑制されるが、ワラ屑やゴミ等の非回収物は排出細孔２７を通過し放出部ケース２２から排出されることになり、２番回収物に対する補助選別が可能である。
【図面の簡単な説明】
【００１６】
【図１】脱穀選別部構造を示す縦断側面図
【図２】脱穀選別部を示す縦断正面図
【図３】スロワーケースと搬送装置との連結箇所縦断背面図
【図４】スロワーケースと搬送装置と放出部とを示す縦断側面図
【図５】放出部の斜視図
【図６】発明の実施の別形態での放出部の側面図
【符号の説明】
【００１７】
Ａ      扱室
１      脱穀装置
４      搬送装置
１７    放出口
１９    放出部
２０    回転羽根
２３    排出口
【図１】
2005095016.tif 000003
【図２】
2005095016.tif 000004
【図３】
2005095016.tif 000005
【図４】
2005095016.tif 000006
【図５】
2005095016.tif 000007
【図６】
2005095016.tif 000008